(57)【要約】【課題】裾ずれを解消する。【解決手段】ショーツ１は、背側を覆う後身頃部２と、クロッチを覆い、後身頃部２よりも伸びにくいクロッチ部４を備える。クロッチ部４は、着用者の肛門位置よりも前方で、後身頃部２に接続する。【選択図】図１
2019085664.tif 000002
【特許請求の範囲】
【請求項１】
下腹を覆い、クロッチ部を有する下衣であって、
背側を覆う後身頃部と、
クロッチを覆い、前記後身頃部よりも伸びにくいクロッチ部を備え、
前記クロッチ部は、着用者の肛門位置よりも前方で、前記後身頃部に接続する
ことを特徴とする下衣。
【請求項２】
前記後身頃部の後中心の下方部分において、前記後身頃部よりも伸びにくい難伸縮部
を備えることを特徴とする請求項１に記載の下衣。
【請求項３】
前記後身頃部の左右方向の中央上方部分に、左右上方部分に比べて、左右方向に余剰を確保する余剰確保部が形成される
ことを特徴とする請求項１または２に記載の下衣。
【請求項４】
前記難伸縮部は、非着用状態で、後身頃部の上下方向の長さの約１／３ないし２／３の長さを有する
ことを特徴とする請求項２に記載の下衣。
【請求項５】
前記余剰確保部は、非着用状態で、左右方向において、後身頃部の左右方向の約１／３ないし３／４の長さを有する
ことを特徴とする請求項３に記載の下衣。
【請求項６】
前記余剰確保部は、非着用状態で、後身頃部の上下方向の長さの約１／３ないし２／３の長さを有する
ことを特徴とする請求項５に記載の下衣。
【発明の詳細な説明】
【技術分野】
【０００１】
本発明は、下腹を覆い、クロッチ部を有する下衣に関する。
【背景技術】
【０００２】
ショーツの着用時において、足上げや屈伸等の運動に伴い、ショーツの裾がずれ上がり、臀裂に挟み込まれる食い込みが生じる場合がある。
【０００３】
またパンツを着用して歩いたりスポーツをしたりした際に、後身頃股ぐり縫合線が臀裂の溝に沿って食い込む課題を解決するために、左右前身頃と左右後身頃との、股ぐり縫合線と内股縫合線の交点より、前身頃側に３〜５ｃｍ、後身頃側に１４〜２０ｃｍの範囲の略菱形形状のマチを設けることが開示されている（特許文献１参照）。
【先行技術文献】
【特許文献】
【０００４】
【特許文献１】特開２００２−８８５０４号公報
【発明の概要】
【発明が解決しようとする課題】
【０００５】
特許文献１に記載のパンツは、スポーツ用のアウターパンツを想定しており、ショーツなどのクロッチ部を有する下衣の裾ずれを解決するものではない。
【０００６】
従って本発明の目的は、裾ずれを解消可能なクロッチ部を有する下衣を提供することである。
【課題を解決するための手段】
【０００７】
上記課題を解決するために、本発明の特徴は、下腹を覆い、クロッチ部を有する下衣に関する。本発明の特徴に係る下衣は、背側を覆う後身頃部と、クロッチを覆い、後身頃部よりも伸びにくいクロッチ部を備える。クロッチ部は、着用者の肛門位置よりも前方で、後身頃部に接続する。
【０００８】
ここで、後身頃部の後中心の下方部分において、後身頃部よりも伸びにくい難伸縮部を備えても良い。
【０００９】
後身頃部の左右方向の中央上方部分に、左右上方部分に比べて、左右方向に余剰を確保する余剰確保部が形成されても良い。
【００１０】
難伸縮部は、非着用状態で、後身頃部の上下方向の長さの約１／３ないし２／３の長さを有する。
【００１１】
余剰確保部は、非着用状態で、左右方向において、後身頃部の左右方向の約１／３ないし３／４の長さを有する。
【００１２】
余剰確保部は、非着用状態で、後身頃部の上下方向の長さの約１／３ないし２／３の長さを有する。
【発明の効果】
【００１３】
本発明によれば、裾ずれを解消可能なショーツを提供することができる。
【図面の簡単な説明】
【００１４】
【図１】本発明の実施の形態に係るショーツを着用した状態を、背面から観察した図である。
【図２】本発明の実施の形態に係るショーツの前身頃を上に平置きした状態を、観察した図である。
【図３】本発明の実施の形態に係るショーツを着用した状態を、斜め下方向から観察した図である。
【図４】本発明の実施の形態に係るショーツの後身頃を上に平置きした状態を、観察した図である。
【図５】本発明の実施の形態に係るショーツの着用状態と一般的なショーツの着用状態を、それぞれ横方向から観察し、模式的に説明する図である。
【図６】本発明の実施の形態に係るショーツの左右の足ぐりが重なるように横向きに重ね、ウエストラインが前後に傾かないように平置きした状態を、観察した図である。
【図７】本発明の実施の形態に係るショーツの左後身頃の型紙の一例を説明する図である。
【図８】図８（ａ）および（ｂ）は、本発明の実施の形態に係るショーツを着用した背面の状態と、ショーツの着用後に運動した後の背面の状態を、説明する図であり、図８（ｃ）および（ｄ）は、一般的なショーツを着用した背面の状態と、ショーツの着用後に運動した後の背面の状態を説明する図である。
【図９】運動前後の裾の位置を測定した実験を説明する図である。
【図１０】図９に示す実験結果を説明する図である。
【図１１】本発明の実施の形態に係る難伸縮部の変形例を説明する図である。
【発明を実施するための形態】
【００１５】
次に、図面を参照して、本発明の実施の形態を説明する。以下の図面の記載において、同一または類似の部分には同一または類似の符号を付している。
【００１６】
（実施の形態）
本発明の実施の形態に係るショーツ１は、着用者の肌に直接着用する下着であって、下腹を覆い、クロッチ部を有する。ショーツ１は、足上げや屈伸等の運動に伴い、ショーツの裾がずれ上がり、臀裂に挟み込まれる食い込みを防ぐ。
【００１７】
ショーツ１は、図１および図２に示すように、後身頃部２、前身頃部３およびクロッチ部４を備える。後身頃部２は、着用者の背側を覆う。前身頃部３は、着用者の腹側を覆う。クロッチ部４は、クロッチ（股）を覆う。
【００１８】
後身頃部２および前身頃部３の水平方向の各端部が接続し、後身頃部２の下端とクロッチ部４の後端が接続し、前身頃部３の下端とクロッチ部４の前端が接続することにより、下腹部を覆う筒形状が形成される。後身頃部２および前身頃部３の上端の周方向に、はきこみ口１１が形成される。後身頃部２および前身頃部３の下端であって、クロッチ部４と接続しない部分に、左右の足ぐり１２が形成される。着用者は、ショーツ１の裾に形成された左右の足ぐり１２に足を通して、ショーツ１を着用することが可能になる。はきこみ口１１および足ぐり１２に伸縮可能なテープが配設され、着用者の胴体および足にフィットするように形成される。
【００１９】
後身頃部２は、背面左側を覆う左後身頃部２１と、着用者の背面右側を覆う右後身頃部２２を備える。左後身頃部２１および右後身頃部２２は、難伸縮部２３により接続される。難伸縮部２３は、後身頃部２の後中心の下方部分において、後身頃部２よりも伸びにくく形成される。本発明の実施の形態において難伸縮部２３は、左後身頃部２１および右後身頃部２２を縫着する縫いあわせである。本発明の実施の形態において、この縫い合わせには、左後身頃部２１および右後身頃部２２を形成する各生地を、糸で縫着することから、難伸縮部２３は、後身頃部２の生地よりも伸縮性が低く、伸びにくくなるように形成される。
【００２０】
本発明の実施の形態に係る後身頃部２および前身頃部３は、ベア天竺、パワーネット、天竺、フライス、トリコット、ダブルラッセルなどの編物で形成されても良いし、伸びる糸で構成される織物で形成されても良いし、ゴム、ウレタンなどの非繊維の伸縮素材で構成されても良い。
【００２１】
後身頃部２および前身頃部３は、上下方向の伸び率が、９０％から１６０％程度で、左右方向の伸び率が、１４０％から２２０％程度の素材が好ましい。後身頃部２および前身頃部３は、上下方向において、緊迫力が１５ｃＮから３５ｃＮ程度であって、左右方向において、緊迫力が１５ｃＮから３５ｃＮ程度の素材が好ましい。
【００２２】
本発明の実施の形態に係るショーツ１は、運動時においても、裾が伸びて皮膚の動きに追従し、着用者の臀部を広く覆うことが可能である。上下方向の伸び率が、９０％よりも低い場合、裾ずれが生じやすくなる場合があり、１６０％よりも大きい場合、着用時に引き上げすぎてしまい、裾の位置がずれる場合がある。左右方向の伸び率が、１４０％よりも低い場合、動きに追従できずに裾ずれが生じやすくなる場合があり、２２０％よりも大きい場合、生地が容易に伸びることにより、ショーツ１が臀裂に挟み込まれる場合がある。また、上下方向と左右方向の両方向において、同様の緊迫力を有する素材を用いることが好ましい。
【００２３】
本発明の実施の形態において、伸び率、伸長力および緊迫力は、１６０ｍｍ×２５ｍｍの試験片を、上部つかみ２５ｍｍ、下部つかみ３５ｍｍおよびつかみ間隔１００ｍｍで、定速伸長形引張試験機に取り付けて、測定される。生地の経方向および緯方向がそれぞれ長手方向（１６ｍｍ側）になるように裁断された、複数の試験片が用いられる。
【００２４】
伸び率は、試験片を定速伸長形引張試験機に取り付け、試験片を左右方向および上下方向にそれぞれ荷重９．８Ｎをかけて測定されたものである。緊迫力は、試験片を定速伸長形引張試験機に取り付け、３００ｍｍ／分程度の速度で伸長回復を複数回繰り返し、３０％に回復した際のパワーである。
【００２５】
クロッチ部４は、着用者のクロッチ、より具体的には尿道部および膣口からの汚れを受け止め、後身頃部２よりも伸びにくくなるように形成される。クロッチ部４が難伸縮に形成されることにより、ショーツ１の位置がずれにくく快適な着用を可能とする。
【００２６】
本発明の実施の形態においてクロッチ部４は、後身頃部２および前身頃部３を形成する生地を二重に重ねることにより、後身頃部２よりも伸びにくくなるように形成されるが、これに限らない。例えば、クロッチ部４は、任意の生地を三重以上に重ねて用いても良いし、前身頃部３および後身頃部２よりも伸びにくい生地を一重にして用いても良い。また、クロッチ部４は、後身頃部２および前身頃部３を形成する生地に、さらに他の生地を重ねることにより形成されても良い。
【００２７】
クロッチ部４は、上下方向の伸び率が、２０％から５０％程度で、左右方向の伸び率が、８０％から１３０％程度になるように形成されるのが好ましい。なお、クロッチ部４の上下方向の伸び率が大きすぎる場合、生地が伸びすぎることにより、クロッチ部４が股下に食い込んだり、後述の難伸縮部２３の下端位置がずれたりする場合がある。またクロッチ部４の上下方向または左右方向の伸び率が小さすぎる場合、体への沿いが悪くなり、肌当たりが悪くなる場合がある。
【００２８】
本発明の実施の形態においては、図２に示すように、後身頃部２の上部が前側まで延伸し、着用者の下腹脇側で、後身頃部２と前身頃部３が接続する場合を説明するが、これに限られない。後身頃部２および前身頃部３は、着用者の左右端（脇端）で接続しても良い。また本発明の実施の形態においては、前身頃部３とクロッチ部４とが別体で形成される場合を説明するが、一体に形成されても良い。
【００２９】
（後身頃部とクロッチ部との接続）
本発明の実施の形態に係るショーツ１において、後身頃部２とクロッチ部４とは、一般的なショーツと比べて前方で接続するように形成される。一般的なショーツにおいて、後身頃部２とクロッチ部４とは、肛門Ｋよりも後方で接続するのに対し、本発明の実施の形態に係るクロッチ部４は、図３に示すように、着用者の肛門Ｋの位置よりも前方で、後身頃部２に接続する。
【００３０】
クロッチ部４の後端４１は、会陰近傍に設けられる。クロッチ部４は、着用者のクロッチ、より具体的には尿道部および膣口からの汚れを受け止めるので、クロッチ部４の後端４１は、少なくとも、膣口の位置よりも後方、かつ、肛門Ｋの位置よりも前方に設けられる。
【００３１】
図２に示すように、クロッチ部４の後端４１は、前身頃３を上においた平置き状態において、確認できる。また図２において、前身頃部３とともに、左後身頃部２１および右後身頃部２２を接続する難伸縮部２３とクロッチ部４の後端４１との接続部分が確認できる。一方図１に示すように、ショーツ１の着用状態を背面から観察した場合、クロッチ部４の後端４１は、肛門Ｋより上方（後方）に確認することはできず、図３に示すように斜め下方向から観察すると、クロッチ部４の後端４１を確認できる。またクロッチ部４の後端４１は、図４に示すように、後身頃部２を上に置いた平置き状態において、確認することはできない。
【００３２】
図５（ａ）を参照して、本発明の実施の形態に係るショーツ１を着用した状態を、図５（ｂ）を参照して、一般的なショーツを着用した状態を、それぞれ横から観察して説明する。
【００３３】
図５において、左側が着用者の前で、右側が着用者の後である。図５の半円形状を有する実線は、着用者の左右中心線上の輪郭であり、背面において臀裂を通る。半円形状外の下方および右方に示される実線は、着用者を左側から観察した際の輪郭であり、足ないし臀部の輪郭を示す。また、一点鎖線は、ヒップトップ高さＴ、より具体的には、ヒップトップ位置の高さを有する仮想の水平面を示す。本発明の実施の形態においてヒップトップは、臀部が前後方向において最も盛り上がる位置である。
【００３４】
図５（ａ）に示すように、ショーツ１のクロッチ部４の後端４１は、肛門Ｋの位置よりも前方に設けられ、肛門Ｋの位置近傍において後身頃部２が形成される。一方、図５（ｂ）に示すように、一般的なショーツのクロッチ部４０の後端４１０は、肛門Ｋの位置よりも後方に設けられ、肛門Ｋの位置近傍においてクロッチ部４０が設けられる。
【００３５】
発明者らの知見によると、足上げ運動などの足の動きは股関節を動かすものであることから、足の動きにより、股関節上の肉に動きが生じる。また股関節と肛門Ｋは近く配設されることから、足の動きにより、肛門Ｋ近傍の肉に動きが生じ、肛門Ｋ近傍の皮膚が動きやすい。図５（ｂ）に示す従来のショーツように、肛門Ｋ近傍にクロッチ部４０が設けられる場合、クロッチ部４０が難伸縮に形成されるので、足の動きに伴う皮膚の動きに、クロッチ部４０が追従できずに留まり、裾のずれが生じやすい。
【００３６】
本発明の実施の形態に係るショーツ１は、図５（ａ）に示すように、クロッチ部４の後端４１を、肛門Ｋの位置よりも前方に設け、肛門Ｋ近傍に、クロッチ部４よりも伸縮しやすい後身頃部２が配設される。これにより、足の動きにより肛門Ｋ近傍の肉の動きが生じたとしても、伸縮しやすい後身頃部２が、その肉の動きに追従し、裾のずれを回避することが可能になる。
【００３７】
またクロッチ部４の後端４１は、足の動きによっても皮膚の動きの少ない部分に配設されるので、クロッチ部４が伸縮しにくく形成される場合でも、裾のずれを生じさせることはない。
【００３８】
図６を参照して、後身頃部２とクロッチ部４との接続位置を、異なる視点から説明する。図６（ａ）は、本発明の実施の形態に係るショーツ１の左右の足ぐり１２が重なるように横向きに重ね、ウエストラインが前後に傾かないように平置きした状態であって、図６（ｂ）は、一般的なショーツを図６（ａ）と同様に平置きした状態である。図６の左側は着用者の前側で、右側は背面側である。
【００３９】
図６（ａ）において、位置Ｐ１１は、クロッチ部４の後端４１である。位置Ｐ１２は、ショーツ１を図２に示すように、ショーツ１の正面と背面とを重ねるように平置きした際の足ぐり１２の最下点である。本発明の実施の形態に係るショーツ１は、図６（ａ）に示すように置くと、肛門Ｋに対応するショーツ１の位置よりも前方に、クロッチ部４の後端４１の位置Ｐ１１が設けられる。さらにクロッチ部４の後端４１と同様の位置ないし後方の位置に、足ぐり１２の最下点の位置Ｐ１２が設けられる。
【００４０】
これに対し一般的なショーツを図６（ａ）と同様においた場合を説明する。図６（ｂ）において、位置Ｐ１６は、図６（ａ）の位置Ｐ１１に対応し、クロッチ部４０の後端４１０である。位置Ｐ１７は、図６（ａ）の位置Ｐ１２に対応し、一般的なショーツを図２に示すように、ショーツの正面と背面とを重ねるように平置きした際の足ぐりの最下点である。一般的なショーツは、図６（ｂ）に示すように置くと、肛門Ｋに対応するショーツ１の位置よりも後方に、クロッチ部４の後端４１の位置Ｐ１６が設けられる。さらにクロッチ部４０の後端４１０よりも前方に、足ぐりの最下点の位置Ｐ１７が設けられる。
【００４１】
このように本発明の実施の形態に係るショーツ１は、クロッチ部４の後端４１を肛門Ｋよりも前方に設けられる。また、ショーツ１の左右の足ぐり１２が重なるように横向きに重ね、ウエストラインが前後に傾かないように平置きした状態で、クロッチ部４の後端４１の位置Ｐ１１は、足ぐりの最下点Ｐ１２より前方または同様の位置に配置される。これにより、肛門Ｋ近傍位置に、クロッチ部４よりも伸縮しやすい後身頃部２を配設することができる。足を動かす運動により、肛門Ｋ近傍の臀部の肉が動き皮膚が伸びるのに伴って、ショーツ１の肛門Ｋ近傍の生地が伸びて、皮膚の動きに追従することが可能になるので、ショーツ１は、足の動きに伴う裾のずり上がりを防止することが可能になる。
【００４２】
（難伸縮部）
本発明の実施の形態に係る難伸縮部２３は、クロッチ部４の後端４１から後身頃部２の上端にかけて、左右中心線上に配設される。難伸縮部２３は、左後身頃部２１および右後身頃部２２の接ぎ線である。難伸縮部２３は、移動しづらく、かつ、皮膚に密着するように形成されるので、裾のずれを回避する役割を担う。
【００４３】
難伸縮部２３は、足の動きによっても皮膚の動きの少ないクロッチ部４の後端４１から配設される。従って、難伸縮部２３とクロッチ部４との接続部分は、着用者の動きによっても移動しづらく、難伸縮部２３の下端部は、着用者の皮膚に安定して配設される。
【００４４】
例えば図５（ｂ）に示すように従来のクロッチ部４０の後端４１０は、肛門Ｋよりも後方に形成される。左後身頃部と右後身頃部の接ぎ線２３０は、着用者を側面から観察した際に、クロッチ部４０の後端４１０からヒップトップ高さＴにかけて、ほぼ垂直方向に、着用者の皮膚とほぼ並行に配設されるので、従来の接ぎ線２３０は、皮膚に沿いにくく皮膚との密着度が低い。また従来のショーツにおいて、クロッチ部４０の後端４１０は本発明の実施の形態に係るクロッチ部４の後端４１０と比べて後方にあるので、着用者の動きに伴って接ぎ線２３０の下端は左右にずれやすく、接ぎ線２３０がずれやすくなる。
【００４５】
これに対し本発明の実施の形態に係る難伸縮部２３は、図５（ａ）に示すように、クロッチ部４の後端４１が位置する胴体の底部分を起点に、図５（ｂ）と比較して大きなカーブを描きながら臀裂に沿って配設される。この結果、着用者を左から観察した際に、難伸縮部２３は、クロッチ部４の後端４１からヒップトップ高さＴにかけて、皮膚にパワーＰｗ１をかけながら、着用者の皮膚に安定して配設される。難伸縮部２３が皮膚にかけるパワーＰｗ１は、従来の接ぎ線２３０が皮膚にかけるパワーＰｗ１０よりも大きく、難伸縮部２３は、従来のショーツと比較して、より皮膚により密着するように形成されることがわかる。
【００４６】
このように、本発明の実施の形態に係る難伸縮部２３は、肛門Ｋよりも前方を起点に、左後身頃部２１および右後身頃部２２の各生地よりも伸縮しにくく形成されるので、皮膚に安定して配設される。従って一方の足の動きによって後身頃部の裾に動きが生じても、その裾の動きによる影響を、動きのない方の足の裾に伝播させず、動きのない方の足の裾が乱れるのを回避する。
【００４７】
例えば、左の足の動きによって臀部の左側下方の皮膚に動きが生じ、左後身頃部２１の下方において、皮膚の動きに伴って生地のずれが広がる。しかしながら難伸縮部２３は、皮膚に安定して配設され、また伸縮しにくいので、左後身頃部２１の下方において生じた生地のずれを堰き止め、右後身頃部２２の下方において、生地のずれを生じにくくする。
【００４８】
本発明の実施の形態において、左後身頃部２１および右後身頃部２２の各生地を難伸縮部２３で縫着することにより、後身頃部２が形成される場合を説明するが、これに限らない。たとえば、後身頃を一体に形成する生地に、難伸縮部２３の位置に伸縮を規制可能なテープを貼付して、後身頃部２を形成しても良い。また後身頃を一体に形成する生地の難伸縮部２３の位置において伸縮しにくく、それ以外の位置において伸縮しやすくなるように、編み方を変更して、後身頃部２を形成しても良い。
【００４９】
このように本発明の実施の形態に係るショーツ１は、後身頃部２のクロッチ部４の後端４１から左右中心線上に、後身頃部２よりも伸びにくい難伸縮部２３を備える。難伸縮部２３は、臀裂に沿って配設されるので、一方の足の裾の動きを、もう一方の足の裾に伝播させず、食い止めることが可能になる。ショーツ１において、左右の裾において独立した裾の動きを実現することで、裾のずれの拡大を防止し裾のずれの解消に寄与する。
【００５０】
（余剰確保部）
図４に示すように、本発明の実施の形態に係るショーツ１の後身頃部２に、後身頃部２の左右方向の中央上方部分に、左右上方部分に比べて、左右方向に余剰を確保する余剰確保部２４が形成される。余剰確保部２４は、はきこみ口１１において、後身頃部２の上端を縫い縮めたギャザーにより形成される。
【００５１】
発明者らの知見によると、ショーツの裾のずれは、成人女性の体型になるまでの１０代（特に１３−１８才）の女子で多く観察される。この年代の女子は、成人女性に比べて骨盤が前傾し、大臀筋の上部（ヒップトップより上方の大臀筋）が盛り上がる傾向がある。このような大臀筋上部に盛り上がりのある女子が一般的なショーツを着用し引き上げると、大臀筋の上部の盛り上がりを覆うため、ショーツの後身頃が上下方向に引き延ばされ、ショーツの下方において生地が足りなくなる、または生地の伸びを確保できなくなる場合がある。ショーツの下方において生地が足りなくなる、または生地の伸びを確保できない状態で足上げ運動などを行うと、生地のゆとりがないために、臀部の皮膚の動きに生地が追従できず、ショーツの裾が食い込み、裾のずれが生じる場合がある。
【００５２】
そこで本発明の実施の形態に係るショーツ１は、余剰確保部２４により、後身頃部２の左右方向の中央上方部分に余剰を確保することで、大臀筋上部の盛り上がりを覆う生地を確保し、後身頃部２の下方における生地および伸び不足を解消する。また、後身頃部２の下方において、臀部の皮膚の動きに追従できる生地または生地の伸びを確保できるので、ショーツの裾の食い込みや裾のずれを回避することができる。
【００５３】
なお上記説明においては、成人女性の体型になるまでの１０代の女子の例を挙げたが、本発明の実施の形態に係る余剰確保部２４は、年代・性別に限らず、ヒップ上部のボリュームのある着用者に効果的である。
【００５４】
余剰確保部２４は、臀部の上部の盛り上がりに対応する位置に設けられ、より具体的には、非着用状態で、左右方向において、後身頃部２の左右方向の約１／３ないし３／４の長さを有し、後身頃部２の上下方向の長さの約１／３ないし２／３の長さを有する。本発明の実施の形態において「非着用状態」は、後身頃部２が着用等により伸ばされずに、所定の台上で、後身頃部２の上端および下端を確認できる状態である。
【００５５】
余剰確保部２４は、図４に示すように、ショーツ１の平置き状態の左右幅をＬとしたときに、余剰確保部２４の左右方向の長さＬ１は、Ｌの１／３ないし３／４程度となる。また、後身頃部２の上下幅をＨとしたときに（図示せず）、余剰確保部２４の上下方向の長さＨ１は、Ｈの１／３ないし２／３程度となる。
【００５６】
余剰確保部２４が、上記の範囲よりも狭い場合、臀部上部の盛り上がりに十分に対応できない場合がある。また余剰確保部２４が、上記範囲よりも広い場合、生地の余剰が生じ、たわみやずれが生じる場合がある。
【００５７】
ここで、余剰確保部２４は、ショーツ１の左右中心近傍に設けられ、脇側には設けられない。これにより、ショーツ１の脇が着用者の肌にフィットして、ショーツ１が周方向にずれるのを回避することができる。
【００５８】
図７の左後身頃部２１の型紙を参照して、左後身頃部２１を平置きした形状を説明する。なお、図７に示す図は、説明のためにデフォルメして示しており、左後身頃部２１の形状は、図７と同様とは限らない。
【００５９】
図７において、位置Ｐ２１、Ｐ２２およびＰ２３は、それぞれ、ショーツ１を着用した着用者の左右中心線上に位置するように形成される。位置Ｐ２１は、クロッチ部４の後端４１と左右中心線上の交点に対応する。位置Ｐ２２は、後身頃部２の上端と左右中心線上の交点に対応する。位置Ｐ２３は、ヒップトップ高さを通る水平面と左右中心線の交点に対応する。
【００６０】
図７（ａ）および（ｂ）に示すように、位置Ｐ２１からＰ２３は、直線状に形成され、左右中心線上に難伸縮部２３が形成される部分である。位置Ｐ２３ないしＰ２２は、脇側にカーブして形成される。左後身頃部２１と、左右対称に同様に形成された右後身頃部２２とを縫い合わせることにより、位置Ｐ２３を頂点とする膨らみを形成し、ヒップトップを覆うことが可能になる。
【００６１】
図７（ｂ）に示すように、左後身頃部２１の左右中心線近傍において、位置Ｐ２１からＰ２３は、直線状に形成されるのに対し、位置Ｐ２３ないしＰ２２は、直線ではなく、右側（左脇に対向する方向）に膨らむカーブを描くように形成される。このように左後身頃部２１が、ヒップトップ高さ位置Ｐ２３より上方で、膨らむカーブを描くように形成されることで、余剰確保部２４でギャザーを形成するための布地の余裕（図７（ｂ）のハッチ部分）を確保することが可能になる。
【００６２】
なお、図７（ｂ）を参照して説明した余剰確保部２４でギャザーを形成するための布地の余裕を確保する方法は、一例であり、これ以外の方法も考えられる。
【００６３】
このように本発明の実施の形態に係るショーツ１は、後身頃部２の左右中心線近傍かつヒップトップの高さ位置よりも上方に、余剰確保部２４が形成される。臀部上方に盛り上がりのある着用者が一般的なショーツを着用すると、ショーツの後身頃が臀部上方の盛り上がりを覆うために、ショーツの裾の生地が不足し、裾のずれ上がりを助長する。一方本発明の実施の形態に係るショーツ１は、余剰確保部２４により、臀部上方の盛り上がりを覆うことができるので、ショーツ１の後身頃部２の裾における生地不足を回避することが可能になる。
【００６４】
（評価）
図８ないし図１０を参照して、本発明の実施の形態に係るショーツ１を着用した効果を説明する。
【００６５】
図８は、本発明の実施の形態に係るショーツ１と、従来のショーツをそれぞれ着用した状態と、各ショーツの着用後に所定の運動をした状態とを示す。図８（ａ）は、本発明の実施の形態に係るショーツ１を着用した状態であり、図８（ｂ）は、ショーツ１を着用後に、所定の運動をした状態である。図８（ｃ）は、一般的なショーツ１を着用した状態であり、図８（ｄ）は、一般的なショーツの着用後に、図８（ｂ）と同様の所定の運動をした状態である。ここで、所定の運動は、深めの屈伸を２回と、足上げ運動を４回である。
【００６６】
図８（ｂ）は、図８（ａ）に比べて、後身頃部２の左脇側の裾において、若干のずれが観察される。しかしながら、図８（ａ）に比べて、図８（ｂ）において左右中心線近傍の裾に目立った皺はなく、ショーツ１が臀溝を覆っており、図８（ａ）の運動前と同様の着用状態を保っている。
【００６７】
一方図８（ｄ）は、図８（ｃ）に比べて、後身頃部２の左右脇側の裾において、ずれが観察される。また、図８（ｃ）に比べて、図８（ｄ）の左右中心線の裾に皺が生じ、ショーツのずり上がりにより、ショーツ１が臀溝を覆うことができず、臀溝が露出している。
【００６８】
図８（ｂ）に示すように、本発明の実施の形態に係るショーツ１を着用した運動後において、運動前と同様の着用状態を保っているのに対し、図８（ｄ）に示すように、従来のショーツを着用した運動後において、大きく着くずれている。このことから、本発明の実施の形態に係るショーツ１は、ショーツのすそのずれを解消できることがわかる。
【００６９】
また本発明の実施の形態に係るショーツ１の着用者から、「お尻に挟まらない」、「履くときに伸びて、しっかりフィットする」、「お尻の下あたりがぴたっとする感じ」などの好意的なコメントが得られた。一方、一般的なショーツの着用者から、「裾がずれて気になる」、「お尻に布が食い込み、入ってくる」などのコメントも得られた。
【００７０】
図９を参照して、本発明の実施の形態に係るショーツ１と、一般的なショーツについて、運動前後の裾の位置を測定した実験を説明する。図９（ａ）および（ｂ）は、本発明の実施の形態に係るショーツ１を着用した立位状態と運動時の図であって、図９（ｃ）および（ｄ）は、一般的なショーツを着用した立位状態と運動時の図である。図９（ａ）および（ｃ）は、立位状態を背面から観察した図であり、図９（ｂ）および（ｄ）における運動は、屈曲である。図９（ｂ）および（ｄ）は、屈曲状態の臀部を斜め下方向から観察した図である。
【００７１】
図９に示す実験において、肛門Ｋの位置から、一般的なショーツのクロッチの後端と足ぐりの交点の位置Ｐの着用者の皮膚上の位置Ｐ’１との距離を測定する。図９（ａ）および（ｃ）において、運動前においては、一般的なショーツのクロッチの後端と足ぐりの交点の位置Ｐと、位置Ｐの着用者の皮膚上の位置Ｐ’とは一致する。なお、図９（ａ）の位置Ｐ（位置Ｐ’）は、一般的なショーツのクロッチの後端と足ぐりの交点であり、ショーツ１のクロッチ部の後端と足ぐりとの交点とは一致しない。
【００７２】
図９（ａ）および（ｃ）の立位状態から、屈曲状態となると、臀部の皮膚が伸び、位置Ｐと、位置Ｐ’（立位時の位置Ｐの皮膚上の位置）とは、乖離する。しかしながら、本発明の実施の形態に係るショーツ１を着用した図９（ｂ）においては、一般的なショーツを着用した図９（ｄ）と比べて、位置Ｐと位置Ｐ’との距離は短い。ショーツ１において、臀部の皮膚に伴って、生地が追従していることがわかる。
【００７３】
図１０を参照して、図９の実験結果を説明する。図１０（ａ）は、Ｍサイズを着用した数名の実験結果を示し、図１０（ｂ）は、Ｌサイズを着用した数名の実験結果を示す。図１０（ａ）および（ｂ）の各グラフにおいて、上段は、本発明の実施の形態に係るショーツ１を着用した実験結果を示し、下段は、従来のショーツを着用した実験結果を示す。図１０のグラフ内の白抜き部分は、立位状態における肛門Ｋから位置Ｐ（位置Ｐ’）の距離であり、薄いハッチ部分は、肛門Ｋから位置Ｐの距離の運動時と立位時の差分であり、濃いハッチ部分は、運動時における位置Ｐから位置Ｐ’の距離である。
【００７４】
図１０（ａ）および（ｂ）ともに、肛門Ｋから位置Ｐの距離の運動時と立位時の差分（薄いハッチ部分）は、従来のショーツを着用した場合よりも、本発明の実施の形態に係るショーツ１を着用した場合に長くなっている。これにより、屈曲運動に伴った皮膚の伸びにあわせて、ショーツ１の裾も伸びていることが確認できる。
【００７５】
また運動時における位置Ｐから位置Ｐ’の距離（濃いハッチ部分）は、本発明の実施の形態に係るショーツ１を着用した際に短くなっており、屈曲時に不足する生地量を削減できていることがわかる。図１０から、本発明の実施の形態に係るショーツ１は、運動時においても、裾が伸びて皮膚の動きに追従し、着用者の臀部を広く覆うことが確認できる。
【００７６】
（難伸縮部の変形例）
本発明の実施の形態に係るショーツ１について、難伸縮部２３が、クロッチ部４の後端４１中心から、左右中心線上に後身頃部２の上端まで延伸する場合を説明したが、これに限られない。本発明の実施の形態に係るショーツ１において、難伸縮部２３は、左後身頃部２１および右後身頃部２２の各生地の縫着部分により形成される場合を説明したがこれに限られない。身頃生地を重ね合わせて接着する方法を用いて、左後身頃部２１および右後身頃部２２を後中心で重ねて接着することで、難伸縮部２３が形成されても良い。
【００７７】
また難伸縮部２３は、クロッチ部４の後端４１の左右中心線上を起点として、上下方向において、後身頃部２の上下方向の約１／３ないし２／３の長さを有するように形成されれば良い。難伸縮部２３は、一方の足の動きによって生じた後身頃の裾のずれの影響を、動きのない方の足の裾に伝播させない役割を担うので、裾のずれが生じるヒップトップよりも下方において設けられれば良い。
【００７８】
図１１（ａ）に示すように、ショーツ１ａの難伸縮部２３ａは、少なくとも、クロッチ部４の後端左右中心から、ヒップトップ高さＴの近傍まで、後中心線上に設けられればよい。難伸縮部２３ａは、非着用状態で、後身頃部２ａの上下方向の長さの約１／３ないし２／３の長さを有する。なお、図１１において、一点鎖線は、ヒップトップ位置の高さＴであって、ヒップトップ位置の高さを有する仮想の水平面を示す。
【００７９】
また、ヒップトップ位置の高さＴよりも上方において難伸縮部２３の形状は問わない。例えば、図１１（ｂ）に示すように、ショーツ１ｂの難伸縮部２３ｂは、ヒップトップの位置の高さで分岐して、左右端にそれぞれ延伸し、Ｖ字形状を形成するように配設される。図１１（ｃ）に示すように、ショーツ１ｃの難伸縮部２３ｃは、ヒップトップの位置の高さで分岐して、左右上方にそれぞれ延伸し、Ｕ字形状を形成するように配設される。
【００８０】
難伸縮部２３について、ヒップトップ位置の高さで分岐した後、前身頃の上端で終端する形状、後身頃の上端で終端する形状、後身頃の左右端で終端する形状、ヒップトップの位置の高さより上方の任意の位置で終端する形状など、様々なバリエーションが考えられる。
【００８１】
（余剰確保部の変形例）
本発明の実施の形態に係るショーツ１について、余剰確保部２４がギャザーで生成される場合を説明したが、これに限られない。余剰確保部２４において、生地の余裕を生じさせることができればよく、例えば、タックを形成する方法が考えられる。また余剰確保部２４において伸びやすく、余剰確保部２４以外において伸びにくくなるように、編み立てのパワーを切り替える方法も考えられる。余剰確保部２４は、プリーツ加工によって生地の余裕を生じさせても良い。余剰確保部２４は、さらに、孔、切込み、スリット等を設けることで、生地の動きを許容する構造により形成されても良い。
【００８２】
（ショーツ形状の変形例）
本発明の実施の形態に係るショーツ１について、脚の付け根に沿って裾がカットされ、はきこみがやや浅いビキニタイプで説明したが、これに限られない。裾のカット形状として、例えば、脚の付け根よりも高く、腰の高い位置にカットが設けられるハイレッグタイプ、ヒップの下で水平にカットされたボーイレングスタイプ、１分丈、３分丈などの、前身頃および後身頃で脚まで覆うタイプなどにも適用することができる。またはきこみ丈として、股上の浅いローウエストタイプ、ウエストまで丈があり、股上が深めのジャストウエストタイプなどにも適用することができる。
【００８３】
（クロッチ部を有する下衣の変形例）
本発明の実施の形態は、着用者の肌に直接着用するショーツ（下着）である場合を説明したが、これに限られず、肌とのフィット感の強いクロッチ部を有する下衣に適用することが可能である。本発明の実施の形態を、例えば、ガードル、ソフトガードル、サニタリーショーツ等に適用しても良い。また、本発明の実施の形態を、例えば、肌に直接着用するショーツの上かつアウターの下に着用するインナーパンツ、水着、レオタードなどに適用しても良い。
【００８４】
また本発明の実施の形態において、ショーツ１は、右後身頃部２２、左後身頃部２１、前身頃部３およびクロッチ部４の各生地を縫い合わせたカットソーである場合を説明したが、縫着に限らず、接着、融着、その他の接合方法により接続されても良い。また本発明の実施の形態において、前身頃脇側で、後身頃と前身頃とが接続する場合を説明したが、前身頃と後身頃とを一体の生地で形成し、後中心で接続することにより難伸縮部２３を形成するようにしても良い。またショーツ１の全体を一体として編み上げて形成されてもよいし、筒状に編み上げた後にクロッチ部で連結させて形成されても良い。
【００８５】
（その他の実施の形態）
上記のように、本発明の実施の形態によって記載したが、この開示の一部をなす論述および図面はこの発明を限定するものであると理解すべきではない。この開示から当業者には様々な代替実施の形態、実施例および運用技術が明らかとなる。
【００８６】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００８７】
１  ショーツ
２  後身頃部
３  前身頃部
４  クロッチ部
１１  はきこみ口
１２  足ぐり
２１  左後身頃部
２２  右後身頃部
２３  難伸縮部
２４  余剰確保部
４１  後端
Ｋ  肛門
【図１】
2019085664.tif 000003
【図２】
2019085664.tif 000004
【図３】
2019085664.tif 000005
【図４】
2019085664.tif 000006
【図５】
2019085664.tif 000007
【図６】
2019085664.tif 000008
【図７】
2019085664.tif 000009
【図８】
2019085664.tif 000010
【図９】
2019085664.tif 000011
【図１０】
2019085664.tif 000012
【図１１】
2019085664.tif 000013